【手続補正書】
【提出日】平成19年4月24日(2007.4.24)
【手続補正１】
【補正対象書類名】特許請求の範囲
【補正対象項目名】全文
【補正方法】変更
【補正の内容】
【特許請求の範囲】
【請求項１】
式：
【化１】
2006526671.tif 000001
（式中、
ｘ及びｙは、互いに独立して、０又は１であり、
Ｘ１及びＸ２は、互いに独立して、２価の結合基であり、
Ａｒ１、Ａｒ２、Ａｒ３、Ａｒ４、Ａｒ５、Ａｒ６、Ａｒ７及びＡｒ８は、互いに独立して、場合により置換されていてもよいアリール基又はヘテロアリール基である）
の繰り返し単位を含むポリマー。
【請求項２】
式：
【化２】
2006526671.tif 000002
（式中、
Ａｒ２は、請求項１に記載のとおりであり、
Ｒ１及びＲ２は、互いに独立して、Ｈ、ハロゲン、ＳＯ３−、Ｃ１〜Ｃ１８アルキル；Ｅで置換された及び／若しくはＤで中断されたＣ１〜Ｃ１８アルキル；Ｃ１〜Ｃ１８ペルフルオロアルキル、Ｃ６〜Ｃ２４アリール；Ｇで置換されたＣ６〜Ｃ２４アリール；Ｃ２〜Ｃ２０ヘテロアリール；Ｇで置換されたＣ２〜Ｃ２０ヘテロアリール；Ｃ２〜Ｃ１８アルケニル、Ｃ２〜Ｃ１８アルキニル、Ｃ１〜Ｃ１８アルコキシ；Ｅで置換された及び／若しくはＤで中断されたＣ１〜Ｃ１８アルコキシ；Ｃ７〜Ｃ２５アラルキル、又は−ＣＯ−Ｒ２８であるか、
あるいは、互いに隣接する２つの置換基Ｒ１及びＲ２は、基：
【化３】
2006526671.tif 000003
であり、
Ｄは、−ＣＯ−；−ＣＯＯ−；−Ｓ−；−ＳＯ−；−ＳＯ２−；−Ｏ−；−ＮＲ２５−；−ＳｉＲ３０Ｒ３１−；−ＰＯＲ３２−；−ＣＲ２３＝ＣＲ２４−；又は−Ｃ≡Ｃ−であり、
Ｅは、−ＯＲ２９；−ＳＲ２９；−ＮＲ２５Ｒ２６；−ＣＯＲ２８；−ＣＯＯＲ２７；−ＣＯＮＲ２５Ｒ２６；−ＣＮ；−ＯＣＯＯＲ２７；又はハロゲンであり、
Ｇは、Ｅ、又はＣ１〜Ｃ１８アルキルであり、
ここで、Ｒ２３、Ｒ２４、Ｒ２５及びＲ２６は、互いに独立して、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであるか、
あるいは、Ｒ２５及びＲ２６は一緒になって、５又は６員環、特に
【化４】
2006526671.tif 000004
を形成し、
Ｒ２７及びＲ２８は、互いに独立して、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ２９は、Ｈ、Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ３０及びＲ３１は、互いに独立して、Ｃ１〜Ｃ１８アルキル、Ｃ６〜Ｃ１８アリール、又はＣ１〜Ｃ１８アルキルで置換されたＣ６〜Ｃ１８アリールであり、
Ｒ３２は、Ｃ１〜Ｃ１８アルキル、Ｃ６〜Ｃ１８アリール、又はＣ１〜Ｃ１８アルキルで置換されたＣ６〜Ｃ１８アリールである）
の繰り返し単位を含む、請求項１記載のポリマー。
【請求項３】
式：
【化５】
2006526671.tif 000005
（式中、
Ａｒ４は、請求項１に記載のとおりであり、
Ｒ１及びＲ２は、互いに独立して、Ｈ、ハロゲン、ＳＯ３−、Ｃ１〜Ｃ１８アルキル、Ｅで置換された及び／若しくはＤで中断されたＣ１〜Ｃ１８アルキル、Ｃ１〜Ｃ１８ペルフルオロアルキル、Ｃ６〜Ｃ２４アリール；Ｇで置換されたＣ６〜Ｃ２４アリール；Ｃ２〜Ｃ２０ヘテロアリール；Ｇで置換されたＣ２〜Ｃ２０ヘテロアリール；Ｃ２〜Ｃ１８アルケニル、Ｃ２〜Ｃ１８アルキニル、Ｃ１〜Ｃ１８アルコキシ；Ｅで置換された及び／若しくはＤで中断されたＣ１〜Ｃ１８アルコキシ；Ｃ７〜Ｃ２５アラルキル、又は−ＣＯ−Ｒ２８であるか、
あるいは、互いに隣接する２つの置換基Ｒ１及びＲ２は、基：
【化６】
2006526671.tif 000006
であり、
Ｄは、−ＣＯ−；−ＣＯＯ−；−Ｓ−；−ＳＯ−；−ＳＯ２−；−Ｏ−；−ＮＲ２５−；−ＳｉＲ３０Ｒ３１−；−ＰＯＲ３２−；−ＣＲ２３＝ＣＲ２４−；又は−Ｃ≡Ｃ−であり、
Ｅは、−ＯＲ２９；−ＳＲ２９；−ＮＲ２５Ｒ２６；−ＣＯＲ２８；−ＣＯＯＲ２７；−ＣＯＮＲ２５Ｒ２６；−ＣＮ；−ＯＣＯＯＲ２７；又はハロゲンであり、
Ｇは、Ｅ、又はＣ１〜Ｃ１８アルキルであり、
ここで、Ｒ２３、Ｒ２４、Ｒ２５及びＲ２６は、互いに独立して、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであるか、
あるいは、Ｒ２５及びＲ２６は一緒になって、５又は６員環、特に
【化７】
2006526671.tif 000007
を形成し、
Ｒ２７及びＲ２８は、互いに独立して、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ２９は、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ３０及びＲ３１は、互いに独立して、Ｃ１〜Ｃ１８アルキル、Ｃ６〜Ｃ１８アリール、又はＣ１〜Ｃ１８アルキルで置換されたＣ６〜Ｃ１８アリールであり、
Ｒ３２は、Ｃ１〜Ｃ１８アルキル、Ｃ６〜Ｃ１８アリール、又はＣ１〜Ｃ１８アルキルで置換されたＣ６〜Ｃ１８アリールである）
の繰り返し単位を含む、請求項１記載のポリマー。
【請求項４】
Ａｒ４が、式：
【化８】
2006526671.tif 000008
（式中、
ｐは１〜１０の整数、特に１、２又は３であり、
ｑは１〜１０の整数、特に１、２又は３であり、
ｒは０〜１０の整数、特に０、１、２又は３であり、
Ｒ３〜Ｒ８は、互いに独立して、Ｈ、ハロゲン、ＳＯ３−、Ｃ１〜Ｃ１８アルキル；Ｅで置換された及び／若しくはＤで中断されたＣ１〜Ｃ１８アルキル；Ｃ６〜Ｃ２４アリール；Ｇで置換されたＣ６〜Ｃ２４アリール；Ｃ２〜Ｃ２０ヘテロアリール；Ｇで置換されたＣ２〜Ｃ２０ヘテロアリール；Ｃ２〜Ｃ１８アルケニル、Ｃ２〜Ｃ１８アルキニル、Ｃ１〜Ｃ１８アルコキシ；Ｅで置換された及び／若しくはＤで中断されたＣ１〜Ｃ１８アルコキシ；Ｃ７〜Ｃ２５アラルキル、又はＣＯ−Ｒ２８であるか、
あるいは、互いに隣接する２つの置換基Ｒ３〜Ｒ８は、基：
【化９】
2006526671.tif 000009
であり、
Ｒ１４’及びＲ１５’は、互いに独立して、Ｈ、Ｃ１〜Ｃ１８アルキル；Ｅで置換された及び／若しくはＤで中断されたＣ１〜Ｃ１８アルキル；Ｃ６〜Ｃ２４アリール；Ｇで置換されたＣ６〜Ｃ２４アリール；Ｃ２〜Ｃ２０ヘテロアリール、又はＧで置換されたＣ２〜Ｃ２０ヘテロアリールであり、
Ｒ１６は、Ｃ１〜Ｃ１８アルキル；Ｅで置換された及び／若しくはＤで中断されたＣ１〜Ｃ１８アルキル；場合により置換されていてもよいＣ６〜Ｃ２４アリールであり、
Ｄは、−ＣＯ−；−ＣＯＯ−；−Ｓ−；−ＳＯ−；−ＳＯ２−；−Ｏ−；−ＮＲ２５−；−ＳｉＲ３０Ｒ３１−；−ＰＯＲ３２−；−ＣＲ２３＝ＣＲ２４−；又は−Ｃ≡Ｃ−であり、
Ｅは、−ＯＲ２９；−ＳＲ２９；−ＮＲ２５Ｒ２６；−ＣＯＲ２８；−ＣＯＯＲ２７；−ＣＯＮＲ２５Ｒ２６；−ＣＮ；−ＯＣＯＯＲ２７；又はハロゲンであり、
Ｇは、Ｅ、又はＣ１〜Ｃ１８アルキルであり、
ここで、Ｒ２３、Ｒ２４、Ｒ２５及びＲ２６は、互いに独立して、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであるか、
あるいは、Ｒ２５及びＲ２６は一緒になって、５又は６員環、特に
【化１０】
2006526671.tif 000010
を形成し、
Ｒ２７及びＲ２８は、互いに独立して、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ２９は、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ３０及びＲ３１は、互いに独立して、Ｃ１〜Ｃ１８アルキル、Ｃ６〜Ｃ１８アリール、又はＣ１〜Ｃ１８アルキルで置換されたＣ６〜Ｃ１８アリールであり、
Ｒ３２は、Ｃ１〜Ｃ１８アルキル、Ｃ６〜Ｃ１８アリール、又はＣ１〜Ｃ１８アルキルで置換されたＣ６〜Ｃ１８アリールである）
の基である、請求項３記載のポリマー。
【請求項５】
式：
【化１１】
2006526671.tif 000011
（式中、
ｐは、１〜１０の整数であり、
ｑは、１〜１０の整数であり、
ｓは、１〜１０の整数であり、
Ｒ１４及びＲ１５は、互いに独立して、Ｈ、Ｃ１〜Ｃ１８アルキル；Ｅで置換された及び／若しくはＤで中断されたＣ１〜Ｃ１８アルキル；Ｃ６〜Ｃ２４アリール；Ｇで置換されたＣ６〜Ｃ２４アリール；又はＣ２〜Ｃ２０ヘテロアリール；Ｇで置換されたＣ２〜Ｃ２０ヘテロアリールであり、
Ｒ１６及びＲ１７は、互いに独立して、Ｈ、Ｃ１〜Ｃ１８アルキル；Ｅで置換された及び／若しくはＤで中断されたＣ１〜Ｃ１８アルキル；Ｃ６〜Ｃ２４アリール；Ｇで置換されたＣ６〜Ｃ２４アリール；Ｃ２〜Ｃ２０ヘテロアリール；又はＧで置換されたＣ２〜Ｃ２０ヘテロアリール；Ｃ２〜Ｃ１８アルケニル、Ｃ２〜Ｃ１８アルキニル、Ｃ１〜Ｃ１８アルコキシ；Ｅで置換された及び／若しくはＤで中断されたＣ１〜Ｃ１８アルコキシ；Ｃ７〜Ｃ２５アラルキル、又はＣＯ−Ｒ２８であり、
Ｒ１８は、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ１９及びＲ２０は、互いに独立して、Ｃ１〜Ｃ１８アルキル；Ｅで置換された及び／若しくはＤで中断されたＣ１〜Ｃ１８アルキル；Ｃ６〜Ｃ２４アリール；Ｇで置換されたＣ６〜Ｃ２４アリール；Ｃ２〜Ｃ２０ヘテロアリール；Ｇで置換されたＣ２〜Ｃ２０ヘテロアリール；Ｃ２〜Ｃ１８アルケニル、Ｃ２〜Ｃ１８アルキニル、Ｃ１〜Ｃ１８アルコキシ；Ｅで置換された及び／若しくはＤで中断されたＣ１〜Ｃ１８アルコキシ；又はＣ７〜Ｃ２５アラルキルであるか、
あるいは、Ｒ１９及びＲ２０は一緒になって、式＝ＣＲ１００Ｒ１０１の基を形成し、
ここで、Ｒ１００及びＲ１０１は、互いに独立して、Ｈ、Ｃ１〜Ｃ１８アルキル；Ｅで置換された及び／若しくはＤで中断されたＣ１〜Ｃ１８アルキル；Ｃ６〜Ｃ２４アリール；Ｇで置換されたＣ６〜Ｃ２４アリール；Ｃ２〜Ｃ２０ヘテロアリール；又はＧで置換されたＣ２〜Ｃ２０ヘテロアリールであり、
あるいは、Ｒ１９及びＲ２０は、場合により置換されていてもよい環、特に５又は６員環を形成し、
Ｄ、Ｅ、及びＧは、請求項２に記載のとおりである）
からなる群より選択される更なる繰り返し単位Ｔを含む、請求項１〜４のいずれか一項記載のポリマー。
【請求項６】
Ｔが、式：
【化１２】
2006526671.tif 000012
（式中、
Ｒ１８は、Ｃ１〜Ｃ１８アルキルであり、
Ｒ１９及びＲ２０は、互いに独立して、１個又は２個の酸素原子によって中断されていてもよい、Ｃ１〜Ｃ１８アルキル、特にＣ４〜Ｃ１２アルキルであり、
Ｒ１９及びＲ２０は、場合によりＣ１〜Ｃ４アルキルで置換されていてもよい、５又は６員炭素環を形成する）
からなる群より選択される、請求項５記載のポリマー。
【請求項７】
式：
【化１３】
2006526671.tif 000013
の繰り返し単位と、０〜９９．５mol％の量の繰り返し単位Ｔとを含み、
ここで、繰り返し単位及びコモノマーの合計は、１００mol％であり、
Ａ１は、水素、又はＣ１〜Ｃ１８アルキルであり、
Ａ２は、水素、又はＣ１〜Ｃ１８アルキルであり、
Ａ３は、水素、Ｃ１〜Ｃ１８アルコキシ、又はＣ１〜Ｃ１８アルキルであり、
Ａ４は、水素、又はＣ１〜Ｃ１８アルキルであり、
Ａ５は、水素、Ｃ１〜Ｃ１８アルキル、ジ（Ｃ１〜Ｃ１８アルキル）アミノ、又はＣ１〜Ｃ１８アルコキシであり、
Ａ６は、水素、又はＣ１〜Ｃ１８アルキルであり、
Ａ７は、水素、Ｃ１〜Ｃ１８アルキル、又はＣ１〜Ｃ１８アルコキシであり、
Ｔは、式：
【化１４】
2006526671.tif 000014
の基（式中、ｓは１又は２である）であるか、あるいは
【化１５】
2006526671.tif 000015
の基（式中、ｓは１又は２である）であり、
Ｒ１６及びＲ１７は、互いに独立して、１又は２個の酸素原子によって中断されていてもよいＣ１〜Ｃ１８アルキル、１又は２個の酸素原子によって中断されていてもよいＣ１〜Ｃ１８アルコキシであり、
Ｒ１９及びＲ２０は、互いに独立して、１又は２個の酸素原子によって中断されていてもよいＣ１〜Ｃ１８アルキルである、
請求項１〜６のいずれか一項記載のポリマー。
【請求項８】
式ＩＶ：
【化１６】
2006526671.tif 000016
〔式中、
Ａｒ７、Ａｒ７’、Ａｒ８及びＡｒ８’は、互いに独立して、Ｃ６〜Ｃ３０アリール基、又はＣ２〜Ｃ２６ヘテロアリール基であり、これらは、場合により置換されていてもよく、
Ｘ１及びＸ２は、互いに独立して、式：
【化１７】
2006526671.tif 000017
（式中
点線は、ベンゾトリアゾール単位への結合を表し、
Ｒ５６及びＲ５７は、互いに独立して、Ｈ、Ｃ１〜Ｃ１８アルキル；Ｅで置換された及び／若しくはＤで中断されたＣ１〜Ｃ１８アルキル；Ｃ６〜Ｃ２４アリール；Ｇで置換されたＣ６〜Ｃ２４アリール；Ｃ２〜Ｃ２０ヘテロアリール；Ｇで置換されたＣ２〜Ｃ２０ヘテロアリール；Ｃ２〜Ｃ１８アルケニル、Ｃ２〜Ｃ１８アルキニル、Ｃ１〜Ｃ１８アルコキシ；Ｅで置換された及び／若しくはＤで中断されたＣ１〜Ｃ１８アルコキシ；又はＣ７〜Ｃ２５アラルキルであり、
Ｒ５８は、Ｈ、Ｃ１〜Ｃ１８アルキル；Ｅで置換された及び／若しくはＤで中断されたＣ１〜Ｃ１８アルキル；Ｃ６〜Ｃ２４アリール、又はＣ７〜Ｃ２５アラルキルであり、
Ｒ５９及びＲ６０は、互いに独立して、Ｈ、Ｃ１〜Ｃ１８アルキル；Ｅで置換された及び／若しくはＤで中断されたＣ１〜Ｃ１８アルキル；Ｃ６〜Ｃ２４アリール；Ｇで置換されたＣ６〜Ｃ２４アリール；Ｃ２〜Ｃ２０ヘテロアリール；Ｇで置換されたＣ２〜Ｃ２０ヘテロアリール；Ｃ２〜Ｃ１８アルケニル、Ｃ２〜Ｃ１８アルキニル、Ｃ１〜Ｃ１８アルコキシ；Ｅで置換された及び／若しくはＤで中断されたＣ１〜Ｃ１８アルコキシ；又はＣ７〜Ｃ２５アラルキルであるか、
あるいは、Ｒ５９及びＲ６０は、場合により置換されていてもよい環、特に５又は６員環を形成し、
Ｒ７１は、Ｈ、Ｃ１〜Ｃ１８アルキル、−Ｃ≡Ｎ、−ＣＯＮＲ２５Ｒ２６又は−ＣＯＯＲ２７であり、
Ｄは、−ＣＯ−；−ＣＯＯ−；−ＯＣＯＯ−；−Ｓ−；−ＳＯ−；−ＳＯ２−；−Ｏ−；−ＮＲ２５−；−ＳｉＲ３０Ｒ３１−；−ＰＯＲ３２−；−ＣＲ２３＝ＣＲ２４−；又は−Ｃ≡Ｃ−であり、
Ｅは、−ＯＲ２９；−ＳＲ２９；−ＮＲ２５Ｒ２６；−ＣＯＲ２８；−ＣＯＯＲ２７；−ＣＯＮＲ２５Ｒ２６；−ＣＮ；−ＯＣＯＯＲ２７；又はハロゲンであり、
Ｇは、Ｅ、又はＣ１〜Ｃ１８アルキルであり、
ここで、Ｒ２３、Ｒ２４、Ｒ２５及びＲ２６は、互いに独立して、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであるか、
あるいは、Ｒ２５及びＲ２６は一緒になって、５又は６員環、特に
【化１８】
2006526671.tif 000018
を形成し、
Ｒ２７及びＲ２８は、互いに独立して、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ２９は、Ｈ；Ｃ６〜Ｃ１８アリール；Ｃ１〜Ｃ１８アルキル若しくはＣ１〜Ｃ１８アルコキシで置換されたＣ６〜Ｃ１８アリール；Ｃ１〜Ｃ１８アルキル；又は−Ｏ−で中断されたＣ１〜Ｃ１８アルキルであり、
Ｒ３０及びＲ３１は、互いに独立して、Ｃ１〜Ｃ１８アルキル、Ｃ６〜Ｃ１８アリール、又はＣ１〜Ｃ１８アルキルで置換されたＣ６〜Ｃ１８アリールであり、
Ｒ３２は、Ｃ１〜Ｃ１８アルキル、Ｃ６〜Ｃ１８アリール、又はＣ１〜Ｃ１８アルキルで置換されたＣ６〜Ｃ１８アリールである）の基である〕
の繰り返し単位を含む、請求項１記載のポリマー。
【請求項９】
式:
【化１９】
2006526671.tif 000019
の繰り返し単位と、０〜９９．５mol％の量の繰り返し単位Ｔとを含み、
ここで、繰り返し単位及びコモノマーの合計は１００mol％であり、
Ａｒ７は、
【化２０】
2006526671.tif 000020
であり、Ａｒ７’は、
【化２１】
2006526671.tif 000021
であり、ここで、点線は、ベンゾトリアゾール単位の窒素原子への結合であり、
Ａｒ８は、
【化２２】
2006526671.tif 000022
であり、Ａｒ８’は、
【化２３】
2006526671.tif 000023
であり、ここで、点線は、ベンゾトリアゾール単位の窒素原子への結合であり、
Ａ４１は、水素、Ｃ１〜Ｃ１８アルコキシ、又はＣ１〜Ｃ１８アルキルであり、
Ａ４２は、水素、又はＣ１〜Ｃ１８アルキルであり、
Ａ４３は、水素、又はＣ１〜Ｃ１８アルキルであり、
Ｘ１及びＸ２は、互いに独立して、式：
【化２４】
2006526671.tif 000024
の基であり、ここで、点線は、ベンゾトリアゾール単位への結合を表し、
Ｒ７１は、Ｈ、Ｃ１〜Ｃ１８アルキル、−Ｃ≡Ｎ、又は−ＣＯＯＲ２７（式中、Ｒ２７は、Ｈ；又は１個以上の酸素原子によって中断されていてもよいＣ１〜Ｃ１８アルキル、特に１個又は２個の酸素原子によって中断されていてもよいＣ４〜Ｃ１２アルキルである）であり、
Ｔは、式：
【化２５】
2006526671.tif 000025
の基であり、ここで、Ｒ５９及びＲ６０は、互いに独立して、１個又は２個の酸素原子によって中断されていてもよい、Ｃ１〜Ｃ１８アルキル、特にＣ４〜Ｃ１２アルキルである、
請求項８記載のポリマー。
【請求項１０】
基材及び請求項１〜９のいずれか一項記載のポリマーを含む、光学デバイス又はコンポーネント。
【請求項１１】
式：
【化２６】
2006526671.tif 000026
〔式中、
ｘ及びｙは、０又は１であり、
Ａｒ１、Ａｒ２、Ａｒ３、Ａｒ４、Ａｒ５、Ａｒ６、Ａｒ７及びＡｒ８は、互いに独立して、場合により置換されていてもよいアリール基又はヘテロアリール基であり、特にＣ６〜Ｃ３０アリール基、又はＣ２〜Ｃ２６ヘテロアリール基であり、これらは、場合により置換されていてもよく、
Ｘ１１は、各出現において独立して、ハロゲン原子、あるいは−Ｂ（ＯＨ）２、−Ｂ（ＯＹ１）２、又は
【化２７】
2006526671.tif 000027
であり、
ここで、Ｙ１は、各出現において独立して、Ｃ１〜Ｃ１０アルキル基であり、
Ｙ２は、各出現において独立して、Ｃ２〜Ｃ１０アルキレン基、例えば−ＣＹ３Ｙ４−ＣＹ５Ｙ６−、又は−ＣＹ７Ｙ８−ＣＹ９Ｙ１０−ＣＹ１１Ｙ１２−（式中、Ｙ３、Ｙ４，Ｙ５、Ｙ６、Ｙ７、Ｙ８、Ｙ９、Ｙ１０、Ｙ１１及びＹ１２は、互いに独立して、水素、又はＣ１〜Ｃ１０アルキル基である）、特に−Ｃ（ＣＨ３）２Ｃ（ＣＨ３）２−、又は−Ｃ（ＣＨ３）２ＣＨ２Ｃ（ＣＨ３）２−である〕
のモノマー。